(57)【要約】【課題】道路灯照明装置において、従来の筐体を取り替えることなく、所望の路面を照射することができる道路灯照明ユニットを提供すること。【解決手段】道路に立てられたポール２の上端部に設置される筐体１内に取付可能である道路灯照明ユニット７は、一又は複数のＬＥＤ素子５からなる複数のＬＥＤモジュール６と、略直方体形の笠３と、該笠の内側の天井面に設置された反射板４とからなる。前記ＬＥＤモジュールは、前記笠の天井面及び側壁面に、それぞれ少なくとも２種類の異なる角度に設置されている。天井面に設置されたＬＥＤモジュールは前記ポール側に寄せて配置され、また側壁面に設置されたＬＥＤモジュールは下方に行くほど外側へ広がるように配置されている。【選択図】図５
2012038694.tif 000002
【特許請求の範囲】
【請求項１】
道路に立てられたポールの上端部に設置されるＬＥＤ光源と、該ＬＥＤ光源を覆う略直方体形の笠とからなる道路灯照明装置において、前記ＬＥＤ光源として、一又は複数のＬＥＤ素子からなる複数のＬＥＤモジュールを、前記笠の側壁面に、少なくとも２種類の異なる角度に配置したことを特徴とする道路灯照明ユニット。
【請求項２】
前記ＬＥＤモジュールは、下方に行くほど外側へ広がっている請求項１記載の道路灯照明ユニット。
【請求項３】
前記笠の内側の天井面に、複数のＬＥＤモジュールを前記ポール側に寄せて、少なくとも２種類の異なる角度に配置した請求項１及び請求項２記載の道路灯照明ユニット。
【発明の詳細な説明】
【技術分野】
【０００１】  本発明は道路面を照射するＬＥＤ照明灯に関するものである。
【背景技術】
【０００２】    路上などの屋外に設置されている照明器具の光源として、広範囲を照明することができる蛍光灯や水銀灯などが一般的に使用されているが、近年、消費電力が小さくかつ長寿命であることを特徴とするＬＥＤ光源が使用されるようになってきている。【０００３】  そのような発明として、たとえば特開２００７−２４２２５８に示される、ＬＥＤ光源を利用した道路灯がある。
【先行技術文献】
【特許文献】
【０００４】
【特許文献１】特開２００７−２４２２５８号公報
【発明の概要】
【発明が解決しようとする課題】
【０００５】  しかしながら、ＬＥＤ光源を利用した近年の道路灯は、ＬＥＤモジュールを設置した取付台をポールに直接接続するものであるため、従来の道路灯に使用されている蛍光灯や水銀灯を覆っている筐体全体を取り替える必要がある。なお、筐体全体を取り替えるためには強度試験など、安全性を確保するための様々な検査が必要となる。【０００６】  一方、筐体を取り替えずに前記取付台を設置すると、筐体が影となりＬＥＤ光源から出る光の一部が無駄になり、設計通りに路面を照射することができない。【０００７】  本発明では上述した事情を考慮し、従来の筐体を取り替えることなく、かつ設計通りに路面を照射することができる、道路灯用のＬＥＤ照明ユニットを提供することを目的とする。
【課題を解決するための手段】
【０００８】  上記目的を達成するために、本発明による道路灯照明ユニットは反射板を具備した笠の内部に、すべてのＬＥＤ光源を設置したことを特徴とする。【０００９】  また、本発明は、一又は複数のＬＥＤ素子からなる複数のＬＥＤモジュールを、少なくとも２種類の異なる角度をもって前記笠の側壁面に配置したことを特徴とする。【００１０】  また、本発明は、前記笠の側面を下方にいくほど外側へ広がるようにして、前記側壁面に配置したＬＥＤモジュールを傾斜させたことを特徴とする。【００１１】  また、本発明は、ＬＥＤモジュールを前記笠の天井面に、少なくとも２種類の異なる角度で設置し、かつポール側に寄せて設置したことを特徴とする。
【発明の効果】
【００１２】  上述のように、すべてのＬＥＤ素子を笠内に設置し、さらに該笠内に反射板を設置して上方光束を減らすことにより、無駄のない配光を得ることができる。また、側壁面に配置したＬＥＤモジュールに傾斜を持たせることにより、無駄な配光を減らすことができる。さらに天井面に設置したＬＥＤモジュールをポール側に寄せることによって、筐体や該笠が影になることなく、効率よく路面を照射することができる。【００１３】  本発明による道路灯照明ユニットは、すべてのＬＥＤモジュールを笠の内部に配置しても所望の路面全体を照射できるように設計されているため、該道路灯照明ユニットを従来の筐体内に設置しても、筐体や該笠が影となることなく、路面全体を照射することができる。
【図面の簡単な説明】
【００１４】
【図１】従来の筐体とポールの側面図
【図２】道路灯照明ユニットの下方斜視図
【図３】筐体に設置した道路灯照明ユニットの背面図
【図４】筐体に設置した道路灯照明ユニットの底面図
【図５】筐体に設置した道路灯照明ユニットの側面断面図と光照射方向
【図６】道路灯照明ユニットの底面図と光照射方向
【図７】道路灯照明ユニットの正面断面図と光照射方向
【図８】道路灯照明ユニットの照射範囲を示した図
【発明を実施するための形態】
【００１５】  以下、本発明を具体的に明らかにするために、本発明の実施の形態について、図面を参照しつつ、詳細に説明する。
【００１６】  図１に示すように、従来の道路灯は筐体１と該筐体に接続されたポールとからなっており、該筐体の内部には図示されない蛍光灯や水銀灯が設置されている。
【００１７】  図２に示すように、本発明による道路灯照明ユニット７は、一又は複数のＬＥＤ素子５からなる複数のＬＥＤモジュール６と、天井面に反射板４を具備する略直方体形の笠３とからなり、該笠は前記筐体１の内部に取り付け可能な形状となっており、筐体に取り付けたところを図３に示す。なお、略直方体形とは、該笠の側壁面の一部又は全部が、下方にいくほど広がった形状をいう。
【００１８】  図４に示すように、前記ＬＥＤモジュールは、前記反射板上の前記ポール側に寄せて配置し、少なくとも２種類の異なる角度に取り付けることにより、前記道路灯照明ユニットの真下及び前方を照明する。
【００１９】  図５に示すように、前記笠３の天井面に配置したＬＥＤモジュールは、異なる角度に配置することによって、８ａ〜８ｃのように光の照射角度を任意に調整して、所望の路面を照射することが可能となる。また、該ＬＥＤモジュールをポール側へ寄せて設置することにより、ポール設置部分から最も遠い路面を照射している８ａの光が、笠３及び筐体１の影にならない配光を得ることができる。
【００２０】  また、前記ＬＥＤモジュールは、図６に示すように、前記笠３の側壁面にも配置し、少なくとも２種類の異なる角度に取り付けることにより、９ａ〜９ｄのように光の照射角度を調整して、前記道路灯照明ユニットの左側、右側、左前方及び右前方を照明する。
【００２１】  また、図７に示すように、前記側壁面に配置したＬＥＤモジュールは、下方に行くほど外側へ広がっているため、光の進路はすべて下方へ向かい、上方光束がほとんどない効率の良い配光を得ることができる。
【００２２】    上述のようにＬＥＤモジュールを配置し、またＬＥＤ素子の設置数を調整することにより、図８に示すように所望の路面全体を照射することが可能な道路灯照明ユニットとなり、しかも従来の道路灯筐体を取り替えることなく該道路灯照明ユニットを設置することができる。
【符号の説明】
【００２３】１    筐体                    ２    ポール
３    笠                      ４    反射板
５    ＬＥＤ素子              ６    ＬＥＤモジュール
７    道路灯照明ユニット      ８ａ〜８ｃ  光照射方向
９ａ〜９ｄ  光照射方向
【図１】
2012038694.tif 000003
【図２】
2012038694.tif 000004
【図３】
2012038694.tif 000005
【図４】
2012038694.tif 000006
【図５】
2012038694.tif 000007
【図６】
2012038694.tif 000008
【図７】
2012038694.tif 000009
【図８】
2012038694.tif 000010